(57)【要約】【課題】垂直方向及び水平方向に隣接する外装材同士の隙間に沿って下方に流れる雨水の滞留及び水平方向への移動を防止できる取付具及び外装構造を提供する。【解決手段】取付具１０は、建物を構成する構造体８に対し、四辺形状をなす複数の外装材２を垂直方向及び水平方向に隣接するように取り付けるためのものである。取付具１０は、構造体８に固定される基板部１６と、基板部１６に設けられ、第１外装材２Ａ１の上端部２Ｕを係止する第１係止片１１Ａ、及び第２外装材２Ａ２の下端部２Ｄを係止する第２係止片１１Ｂを有する第１係止部１１と、基板部１６に設けられ、第３外装材２Ａ３の上端部２Ｕを係止する第３係止片１２Ａ、及び第４外装材２Ａ４の下端部２Ｄを係止する第４係止片１２Ｂを有する第２係止部１２と、第１係止部１１と第２係止部１２とを水平方向に離間させる離間部１５と、を備える。【選択図】図９
2017071900.tif 000002
【特許請求の範囲】
【請求項１】
建物を構成する構造体に対し、四辺形状をなす複数の外装材を垂直方向及び水平方向に隣接するように取り付けるための取付具であって、
前記各外装材は、第１外装材と、前記第１外装材に対して上方から隣接する第２外装材と、前記第１外装材に対して水平方向の一方から隣接する第３外装材と、前記第３外装材に対して上方から隣接し、かつ、前記第２外装材に対して水平方向の一方から隣接する第４外装材と、を含み、
前記取付具は、前記構造体に固定される基板部と、
前記基板部に設けられ、前記第１外装材の上端部を係止する第１係止片、及び前記第２外装材の下端部を係止する第２係止片を有する第１係止部と、
前記基板部に設けられ、前記第３外装材の上端部を係止する第３係止片、及び前記第４外装材の下端部を係止する第４係止片を有する第２係止部と、
前記第１係止部と前記第２係止部とを水平方向に離間させる離間部と、を備えていることを特徴とする取付具。
【請求項２】
前記離間部に設けられ、前記第１外装材、前記第２外装材、前記第３外装材及び前記第４外装材の端部同士の接合部が略十字状に交差する交差部に対して、前記外装材の裏面側から接触する防水面を有する防水部をさらに備えている請求項１記載の取付具。
【請求項３】
前記各外装材の下端部は、前記外装材の裏面から表面に向かって凹み、水平方向に延在する表側上下接合部を有し、
前記各外装材の上端部は、前記外装材の前記表面から前記裏面に向かって凹み、水平方向に延在する裏側上下接合部を有し、
前記第１係止部の前記第１係止片は、前記第１外装材の前記裏側上下接合部を係止し、
前記第１係止部の前記第２係止片は、前記第２外装材の前記表側上下接合部を係止し、
前記第２係止部の前記第３係止片は、前記第３外装材の前記裏側上下接合部を係止し、
前記第２係止部の前記第４係止片は、前記第４外装材の前記表側上下接合部を係止する請求項１又は２記載の取付具。
【請求項４】
前記離間部に対して下方に設けられ、前記第１外装材及び前記第３外装材の水平方向において対向する端部同士の間に配置される横ずれ防止部をさらに備えている請求項１乃至３のいずれか１項記載の取付具。
【請求項５】
前記各外装材における水平方向の一端部は、前記外装材の前記表面から前記裏面に向かって凹み、垂直方向に延在する裏側左右接合部を有し、
前記各外装材における水平方向の他端部は、前記外装材の前記裏面から前記表面に向かって凹み、垂直方向に延在する表側左右接合部を有し、
前記横ずれ防止部は、前記第１外装材の前記裏側左右接合部と、前記第３外装材の前記表側左右接合部との間に配置される請求項４記載の取付具。
【請求項６】
建物を構成する構造体と、
四辺形状をなす複数の外装材と、
前記構造体に対し、前記各外装材を垂直方向及び水平方向に隣接するように取り付けるための取付具と、を備え、
前記取付具によって前記構造体に取り付けられた前記各外装材が前記構造体を覆う外装構造であって、
前記各外装材は、第１外装材と、前記第１外装材に対して上方から隣接する第２外装材と、前記第１外装材に対して水平方向の一方から隣接する第３外装材と、前記第３外装材に対して上方から隣接し、かつ、前記第２外装材に対して水平方向の一方から隣接する第４外装材と、を含み、
前記取付具は、前記構造体に固定される基板部と、
前記基板部に設けられ、前記第１外装材の上端部を係止する第１係止片、及び前記第２外装材の下端部を係止する第２係止片を有する第１係止部と、
前記基板部に設けられ、前記第３外装材の上端部を係止する第３係止片、及び前記第４外装材の下端部を係止する第４係止片を有する第２係止部と、
前記第１係止部と前記第２係止部とを水平方向に離間させる離間部と、を備えていることを特徴とする外装構造。
【発明の詳細な説明】
【技術分野】
【０００１】
本発明は外装材の取付具及び建物の外装構造に関する。
【背景技術】
【０００２】
特許文献１、２に従来の取付具が開示されている。これらの取付具は、建物を構成する構造体に対し、四辺形状をなす複数の外装材を垂直方向及び水平方向に隣接するように取り付けるためのものである。
【０００３】
各外装材は、第１外装材と、第１外装材に対して上方から隣接する第２外装材と、第１外装材に対して水平方向の一方から隣接する第３外装材と、第３外装材に対して上方から隣接し、かつ、第２外装材に対して水平方向の一方から隣接する第４外装材と、を含んでいる。
【０００４】
特許文献１、２に開示の取付具は、基板部と係止部とを備えている。両取付具において、基板部は、取付部を構造体に固定するためのものである。また、係止部は、外装材を係止するためのものである。
【０００５】
特許文献１に開示の取付具では、係止部は、中央前板部と、一対の下板係止部と、一対の上板係止部とを有している。中央前板部は、基板部の中央に設けられている。両下板係止部及び両上板係止部はそれぞれ、中央前板部を水平方向の一方と他方とから挟むように基板部に設けられている。従って、中央前板部、両下板係止部及び両上板係止部は、水平方向に連続するように並んでいる。
【０００６】
特許文献２に開示の取付具では、係止部は、水平部と、下側屈曲片と、一対の上側屈曲片とを有している。水平部は、基板部から突出し、かつ水平方向に延在している。下側屈曲片は、水平部の先端縁の中央から下向きに屈曲している。両上側屈曲片は、水平部の先端縁の一端部と他端部とから上向きに屈曲している。
【０００７】
特許文献１、２に開示の取付具では、このような係止部によって、第１外装材の上端部と、第２外装材の下端部と、第３外装材の上端部と、第４外装材の下端部とを係止する。
【先行技術文献】
【特許文献】
【０００８】
【特許文献１】特開２００２−２２０９１０号公報
【特許文献２】特開２００３−２３９４９７号公報
【発明の概要】
【発明が解決しようとする課題】
【０００９】
ところで、取付具によって構造体に取り付けられた第１〜４外装材に雨水がかかると、その雨水が第２外装材と第４外装材との隙間、及び第１外装材と第３外装材との隙間に沿って下方に流れようとする。
【００１０】
ここで、特許文献１に開示の取付具では、係止部において、中央前板部、両下板係止部及び両上板係止部が水平方向に連続するように並んでいる。これにより、係止部のその水平部分は、第２外装材と第４外装材との隙間と、第１外装材と第３外装材との隙間とを横切ることとなる。このため、下方に流れる雨水が係止部のその水平部分に滞留し、その雨水が水平方向に移動するおそれがある。この点、特許文献１に開示の取付具では、係止部に防水部材を設け、滞留して水平方向に移動しようとする雨水を防水部材によって堰き止めるようになっているものの、雨水の滞留及び水平方向への移動を防止するには不十分な場合がある。
【００１１】
また、特許文献２に開示の取付具でも、係止部において、水平部が水平方向に延在している。これにより、係止部の水平部は、第２外装材と第４外装材との隙間と、第１外装材と第３外装材との隙間とを横切ることとなる。このため、下方に流れる雨水が係止部の水平部に滞留し、その雨水が水平方向に移動するおそれがある。この点、特許文献２に開示の取付具では、係止部の水平部に水抜き穴を設け、滞留して水平方向に移動しようとする雨水を水抜き穴から下方に垂らすようになっているものの、雨水の滞留及び水平方向への移動を防止するには不十分な場合がある。
【００１２】
本発明は、上記従来の実情に鑑みてなされたものであって、垂直方向及び水平方向に隣接する外装材同士の隙間に沿って下方に流れる雨水の滞留及び水平方向への移動を防止できる取付具及び外装構造を提供することを解決すべき課題としている。
【課題を解決するための手段】
【００１３】
本発明の取付具は、建物を構成する構造体に対し、四辺形状をなす複数の外装材を垂直方向及び水平方向に隣接するように取り付けるための取付具であって、
前記各外装材は、第１外装材と、前記第１外装材に対して上方から隣接する第２外装材と、前記第１外装材に対して水平方向の一方から隣接する第３外装材と、前記第３外装材に対して上方から隣接し、かつ、前記第２外装材に対して水平方向の一方から隣接する第４外装材と、を含み、
前記取付具は、前記構造体に固定される基板部と、
前記基板部に設けられ、前記第１外装材の上端部を係止する第１係止片、及び前記第２外装材の下端部を係止する第２係止片を有する第１係止部と、
前記基板部に設けられ、前記第３外装材の上端部を係止する第３係止片、及び前記第４外装材の下端部を係止する第４係止片を有する第２係止部と、
前記第１係止部と前記第２係止部とを水平方向に離間させる離間部と、を備えていることを特徴とする。
【００１４】
本発明の取付具では、離間部によって第１係止部と第２係止部とが水平方向に離間される。このため、第１係止部において、第１係止片が第１外装材の上端部を係止し、第２係止片が第２外装材の下端部を係止し、かつ、第２係止部において、第３係止片が第３外装材の上端部を係止し、第４係止片が第４外装材の下端部を係止する状態において、第１係止部と第２係止部とは、第２外装材と第４外装材との隙間と、第１外装材と第３外装材との隙間とを横切らない。このため、第２外装材と第４外装材との隙間と、第１外装材と第３外装材との隙間とが垂直方向において連続するので、雨水を第２外装材と第４外装材との隙間、及び第１外装材と第３外装材との隙間に沿って下方に効果的に排出することができる。
【００１５】
したがって、本発明の取付具によれば、垂直方向及び水平方向に隣接する外装材同士の隙間に沿って下方に流れる雨水の滞留及び水平方向への移動を防止できる。
【００１６】
本発明の第２の態様として、取付具は、離間部に設けられ、第１外装材、第２外装材、第３外装材及び第４外装材の端部同士の接合部が略十字状に交差する交差部に対して、外装材の裏面側から接触する防水面を有する防水部をさらに備えていることが望ましい。
【００１７】
この場合、防水面によって外装材の交差部が封止されて、雨水が交差部から外装材の裏面側に侵入することが防止される。防水面に付着した雨水は、毛管現象等によって、外装材の裏面と防水面との狭い隙間を通過し、第１係止部と第２係止部とに阻害されることなく、下方に流れる。その結果、この取付具では、雨水の滞留及び水平方向への移動を一層防止できる。
【００１８】
また、第３の態様として、各外装材の下端部は、外装材の裏面から表面に向かって凹み、水平方向に延在する表側上下接合部を有していることが望ましい。各外装材の上端部は、外装材の表面から裏面に向かって凹み、水平方向に延在する裏側上下接合部を有していることが望ましい。そして、第１係止部の第１係止片は、第１外装材の裏側上下接合部を係止し、第１係止部の第２係止片は、第２外装材の表側上下接合部を係止することが望ましい。また、第２係止部の第３係止片は、第３外装材の裏側上下接合部を係止し、第２係止部の第４係止片は、第４外装材の表側上下接合部を係止することが望ましい。
【００１９】
この場合、各外装材は、表側上下接合部及び裏側上下接合部を備える、いわゆる「合い決り構造」を含む板材である。このため、表側上下接合部及び裏側上下接合部が重なり合って形成される上下接合部により、垂直方向に隣接する外装材同士の隙間が生じ難く、また、雨水が外装材の裏面側に侵入することを防止できる。
【００２０】
第４の態様として、取付具は、離間部に対して下方に設けられ、第１外装材及び第３外装材の水平方向において対向する端部同士の間に配置される横ずれ防止部をさらに備えていることが望ましい。
【００２１】
この場合には、取付具によって第１〜４外装材を構造体に取り付けた後に、横ずれ防止部によって、第１外装材及び第３外装材の横ずれを防止することができる。
【００２２】
第５の態様として、各外装材における水平方向の一端部は、外装材の表面から裏面に向かって凹み、垂直方向に延在する裏側左右接合部を有していることが望ましい。各外装材における水平方向の他端部は、外装材の裏面から表面に向かって凹み、垂直方向に延在する表側左右接合部を有していることが望ましい。そして、横ずれ防止部は、第１外装材の裏側左右接合部と、第３外装材の表側左右接合部との間に配置されることが望ましい。
【００２３】
この場合、各外装材は、表側左右接合部及び裏側左右接合部を備える、いわゆる「合い決り構造」を含む板材である。このため、表側左右接合部及び裏側左右接合部が重なり合って形成される左右接合部により、水平方向に隣接する外装材同士の隙間が生じ難く、また、雨水が外装材の裏面側に侵入することを抑制できる。また、横ずれ防止部が第３外装材の表側左右接合部に覆われ、外装材の表面側に露出しない構成とすることができる。
【００２４】
本発明の外装構造は、建物を構成する構造体と、
四辺形状をなす複数の外装材と、
前記構造体に対し、前記各外装材を垂直方向及び水平方向に隣接するように取り付けるための取付具と、を備え、
前記取付具によって前記構造体に取り付けられた前記各外装材が前記構造体を覆う外装構造であって、
前記各外装材は、第１外装材と、前記第１外装材に対して上方から隣接する第２外装材と、前記第１外装材に対して水平方向の一方から隣接する第３外装材と、前記第３外装材に対して上方から隣接し、かつ、前記第２外装材に対して水平方向の一方から隣接する第４外装材と、を含み、
前記取付具は、前記構造体に固定される基板部と、
前記基板部に設けられ、前記第１外装材の上端部を係止する第１係止片、及び前記第２外装材の下端部を係止する第２係止片を有する第１係止部と、
前記基板部に設けられ、前記第３外装材の上端部を係止する第３係止片、及び前記第４外装材の下端部を係止する第４係止片を有する第２係止部と、
前記第１係止部と前記第２係止部とを水平方向に離間させる離間部と、を備えていることを特徴とする。
【００２５】
本発明の外装構造は、上記の取付具を採用している。このため、この外装構造では、上述したように、取付具の第１係止部において、第１係止片が第１外装材の上端部を係止し、第２係止片が第２外装材の下端部を係止し、かつ、取付具の第２係止部において、第３係止片が第３外装材の上端部を係止し、第４係止片が第４外装材の下端部を係止する状態において、第１係止部と第２係止部とは、第２外装材と第４外装材との隙間と、第１外装材と第３外装材との隙間とを横切らない。このため、第２外装材と第４外装材との隙間と、第１外装材と第３外装材との隙間とが垂直方向において連続するので、雨水を第２外装材と第４外装材との隙間、及び第１外装材と第３外装材との隙間に沿って下方に効果的に排出することができる。
【００２６】
したがって、本発明の外装構造によれば、垂直方向及び水平方向に隣接する外装材同士の隙間に沿って下方に流れる雨水の滞留及び水平方向への移動を防止できる。
【発明の効果】
【００２７】
本発明の取付具及び外装構造によれば、垂直方向及び水平方向に隣接する外装材同士の隙間に沿って下方に流れる雨水の滞留及び水平方向への移動を防止できる。
【図面の簡単な説明】
【００２８】
【図１】図１は、実施例１の外装構造の斜視図である。
【図２】図２は、実施例１の外壁板（第１〜４外壁板）の正面図である。
【図３】図３は、図２のＩＩＩ−ＩＩＩ断面を示す部分断面図である。
【図４】図４は、図２のＩＶ−ＩＶ断面を示す部分断面図である。
【図５】図５は、実施例１に係り、隣接する第１〜４外壁板同士の組み付け構成を示す部分斜視図である。
【図６】図６は、実施例１に係り、最も下方に位置する外壁板の取り付け構成を示す部分斜視図である。
【図７】図７は、図６のＶＩＩ−ＶＩＩ断面を示す部分断面図である。
【図８】図８は、実施例１に係り、第１〜４外壁板と取付具との相対位置関係を示す正面図である。
【図９】図９は、実施例１に係り、取付具を用いた第１、３外壁板の取り付け構成を示す部分斜視図である。
【図１０】図１０は、実施例１に係り、取付具を用いた第１〜３外壁板の取り付け構成を示す部分斜視図である。
【図１１】図１１は、図９のＸＩ−ＸＩ断面を示す断面図である。
【図１２】図１２は、実施例１に係り、取付具の斜視図である。
【図１３】図１３は、図１２のＸＩＩＩ−ＸＩＩＩ断面を示す断面図である。
【図１４】図１４は、図１２のＸＩＶ−ＸＩＶ断面を示す断面図である。
【図１５】図１５は、実施例１に係り、取付具と第１、３外壁板との位置合わせ方法を示す部分斜視図である。
【図１６】図１６は、図１１のＸＶＩ−ＸＶＩ断面を示す部分断面図である。
【図１７】図１７は、図１１のＸＶＩＩ−ＸＶＩＩ断面を示す部分断面図である。
【図１８】図１８は、実施例１に係る各左右接合部によって形成される接合領域を説明するための部分斜視図である。
【図１９】図１９は、実施例２に係り、取付具の斜視図である。
【図２０】図２０は、実施例２に係り、図１７と同様の断面を示す部分断面図である。
【図２１】図２１は、実施例３に係り、取付具の斜視図である。
【図２２】図２２は、実施例４に係り、取付具の斜視図である。
【図２３】図２３は、実施例４に係り、取付具を用いた第１〜３外壁板の取り付け構成を示す部分斜視図である。
【図２４】図２４は、実施例４に係り、交差部と防水面との相対位置関係を示す部分斜視図である。
【図２５】図２５は、実施例４に係り、図１７と同様の断面を示す部分断面図である。
【図２６】図２６は、実施例５に係り、取付具の斜視図である。
【図２７】図２５は、実施例５に係り、図１７と同様の断面を示す部分断面図である。
【図２８】図２８は、実施例６に係り、取付具の斜視図である。
【発明を実施するための形態】
【００２９】
以下、本発明を具体化した実施例１〜６を図面を参照しつつ説明する。なお、図１において、垂直方向の上側を上と表示し、垂直方向の下側を下と表示し、建物の外側方向を屋外と表示し、建物の内側方向を屋内と表示する。また、図１において、屋外から構造体８の外面８Ｆに対面した状態における水平方向の左手側を左と表示し、屋外から外面８Ｆに対面した状態における水平方向の右手側を右と表示する。そして、図２以降の各図に示す各方向は、図１に対応させて表示する。
【００３０】
（実施例１）
図１に示すように、実施例１の外装構造は、本発明の外装構造の具体的態様の一例である。この外装構造は、本実施例では、住宅、施設、倉庫等の建物を構成する構造体８に対し、図２〜図５等に示す複数の外壁板２を取り付けて、構造体８を外装するためのものである。構造体８は、本発明の「構造体」の一例である。外壁板２は、本発明の「外装材」の一例である。外壁板２は、それ自体が高い強度や剛性を有して建物の外壁を構成する板材である。なお、本発明の外装構造に外装される構造体は、例えば、木造、鉄骨造り、鉄筋コンクリート造り、レンガ造り等の躯体が挙げられる。構造体８も図１、図６及び図７に示す構成に限定されず、より簡素な構成を採用してもよい。本発明において、外装材は外壁板に限定されず、例えば、表面に意匠性の高い化粧面を有する化粧板等であってもよい。化粧板は、外壁を構成する強固な躯体に取り付けられることが多く、一般的に、外壁板と比較して、強度や剛性が低い板材である。
【００３１】
また、図１及び図８〜図１７に示すように、実施例１の取付具１０は、本発明の取付具の具体的態様の一例である。取付具１０は、構造体８に対し、複数の外壁板２を垂直方向及び水平方向に隣接するように取り付けるためのものである。本実施例では、取付具１０は、複数の支持部材５を介して構造体８に取付けられているが、この構成には限定されず、取付具１０を木造構造体の柱に対して、止めネジや釘等で直接固定してもよい。
【００３２】
図１、図６及び図７に示すように、構造体８は、建物を構成して、屋外と屋内とを区画している。構造体８の屋外方向を向く外面８Ｆは、水平方向及び垂直方向に延在する略平坦面である。図１に示すように、外面８Ｆは、建物の外形状に合わせて屈曲している。
【００３３】
本実施例では、構造体８の外面８Ｆに沿って、断熱材７が配置されている。断熱材７は、例えば、ロックウールやグラスウール等の繊維系断熱材や、硬質ウレタンフォーム等の発泡系断熱材等である。なお、構造体８の内部に断熱材が配置されていてもよい。
【００３４】
図１及び図７に示すように、断熱材７の表面に沿って、防水シート６が敷設されている。防水シート６は、フィルム系や不織布系のシート等であり、防水性の他に透湿性を備えるものもある。なお、構造体８の外面８Ｆに沿って防水シートが敷設されていてもよい。また、構造体の施工状況等によっては、防水シートを省略することもできる。
【００３５】
図１、図６及び図７に示すように、構造体８の外面８Ｆの下端部には、上方から流れてきた水を外部に排出するための水切り板６Ａが止めネジ６Ｂによって固定されている。なお、止めネジ６Ｂは、水切り板６Ａを外面８Ｆに固定する取付具の一例であって、止めネジ６Ｂの代わりに、釘等を用いてもよい。水切り板６Ａは、左右方向に長尺な板材が折り曲げ加工されてなる。水切り板６Ａは、止めネジ６Ｂよりも下方の位置で屈曲し、屋外方向に向かって下り傾斜した後、再び屈曲して下向きに延びている。
【００３６】
図１及び図６では、水切り板６Ａの右側部分の図示を省略しているが、実際には、水切り板６Ａは、外面８Ｆに沿って右方に延びている。
【００３７】
図１、図６、図７及び図９に示すように、支持部材５としては、形状、大きさ、長さ等が異なる複数種類の部材が適宜使用される。本実施例では、支持部材５は、アルミや鉄等の金属材料からなる。なお、支持部材５の材質は、金属材料に限定されず、木材や、硬質プラスチックや繊維強化プラスチック等の樹脂系材料等が適宜選択される。本実施例では、支持部材５には、ブラケット５７、横支持部材５３、縦支持部材５０及び下端支持部材５５が含まれている。ブラケット５７、横支持部材５３、縦支持部材５０及び下端支持部材５５は、例えば、アルミ押出型材が所定の長さに切断されたり、鋼板が打ち抜き加工や折り曲げ加工されたりしてなる。
【００３８】
図１及び図６では、横支持部材５３及び下端支持部材５５の右側部分の図示を省略しているが、実際には、横支持部材５３及び下端支持部材５５は、外面８Ｆに沿って右方に延びている。また、図６では、縦支持部材５０の上側部分の図示を省略しているが、実際には、縦支持部材５０は、外面８Ｆに沿って上方に延びている。
【００３９】
図７に示すように、ブラケット５７は、板材が断面略Ｌ字形状に折り曲げ加工されてなる。複数のブラケット５７は、止めネジ５７Ｂによって、構造体８の外面８Ｆの各所に固定される。その後、断熱材７及び防水シート６が外面８Ｆに敷設されると、ブラケット５７の先端部５７Ａは、断熱材７及び防水シート６を貫通し、屋外方向に向かって突出した状態となる。なお、止めネジ５７Ｂは、ブラケット５７を外面８Ｆに固定する取付具の一例であって、止めネジ５７Ｂの代わりに、釘等を用いてもよい。
【００４０】
図１、図６、図７及び図９に示すように、横支持部材５３は、左右方向に長尺な断面Ｌ形の型材である。複数の横支持部材５３が断熱材７及び防水シート６よりも構造体８の外側に配置され、垂直方向において互いに所定の間隔で離間している。図７に示すように、横支持部材５３は、垂直方向において同じ高さに位置する複数のブラケット５７の先端部５７Ａに、止めネジ５３Ｂによって固定されている。なお、止めネジ５３Ｂは、横支持部材５３をブラケット５７の先端部５７Ａに固定する取付具の一例であって、止めネジ５３Ｂの代わりに、リベットやボルト及びナット等を用いてもよい。
【００４１】
図１、図６、図７及び図９に示すように、縦支持部材５０は、垂直方向に長尺なハット形状の型材である。複数の縦支持部材５０が断熱材７及び防水シート６よりも構造体８の外側に配置され、左右方向において互いに所定の間隔で離間している。図７及び図９に示すように、縦支持部材５０は、複数の横支持部材５３に、止めネジ５０Ｂによって固定されている。なお、止めネジ５０Ｂは、縦支持部材５０を横支持部材５３に固定する取付具の一例であって、止めネジ５０Ｂの代わりに、リベットやボルト及びナット等を用いてもよい。
【００４２】
図１、図６及び図７に示すように、下端支持部材５５は、左右方向に長尺な板材が断面略Ｊ字形状に折り曲げ加工されてなる。下端支持部材５５は、複数の縦支持部材５０の下端部に、止めネジ５５Ｂによって固定されている。なお、止めネジ５５Ｂは、下端支持部材５５を縦支持部材５０に固定する取付具の一例であって、止めネジ５５Ｂの代わりに、リベットやボルト及びナット等を用いてもよい。下端支持部材５５の下端部は、屋外方向に向かって屈曲した後、上向きに延びている。
【００４３】
つまり、横支持部材５３、縦支持部材５０及び下端支持部材５５は、断熱材７及び防水シート６よりも構造体８の外側に配置され、格子状に組み合わされている。
【００４４】
図１に示すように、本実施例では、各取付具１０は、複数の縦支持部材５０のそれぞれに複数設けられるようになっている。各取付具１０は、複数の外壁板２を各縦支持部材５０に取り付ける際に、各縦支持部材５０における各外壁板２に対応する位置に固定されるものである。このため、図１では、最も下方の２枚の外壁板２に対応する位置に固定された各取付具１０については、実線で図示する。その一方、まだ取り付けられていない複数の外壁板２に対応する各取付具１０が各縦支持部材５０に固定される位置Ｐ１０を二点鎖線の円で囲んで図示する。図１及び図８に示すように、各取付具１０は、左右方向及び垂直方向において互いに所定の間隔で離間して固定される。図９〜図１１に示すように、各取付具１０は、各縦支持部材５０の所定の位置に、止めネジ１０Ｂによって固定されている。なお、止めネジ１０Ｂは、取付具１０を縦支持部材５０に固定する取付具の一例であって、止めネジ１０Ｂの代わりに、リベットやボルト及びナット等を用いてもよい。
【００４５】
なお、支持部材５において、例えば、縦支持部材５０を省略し、各取付具１０を複数の横支持部材５３のそれぞれに複数設けることもできる。また、支持部材５において、縦支持部材５０及び横支持部材５３を省略し、各取付具１０を複数のブラケット５７の先端部５７Ａに設けることもできる。さらに、支持部材５を省略し、各取付具１０を構造体８の外面８Ｆに設けることもできる。下端支持部材５５の取り付けについても、各取付具１０と同様である。
【００４６】
ここで、取付具１０の具体的構成について、図１１〜図１４を参照しつつ説明する。以下の説明では、取付具１０の姿勢について、取付具１０が縦支持部材５０に固定された状態を基準とする。
【００４７】
本実施例では、取付具１０は、鉄やステンレススチール等の板材が打ち抜き加工や折り曲げ加工されてなる。なお、取付具１０の材質や製造方法は上記に限定されず、各種の材料や、製造方法を適宜選択できる。
【００４８】
取付具１０は、基板部１６、横ずれ防止部１９、第１係止部１１、第２係止部１２、離間部１５及び一対の支持面１３Ｌ、１３Ｒを有している。
【００４９】
図１２に示すように、基板部１６は、正面視した場合に略矩形状とされている。図１２及び図１３に示すように、基板部１６は、略平坦に延在している。基板部１６の下端部における右側部分は、下向きに突出しており、その突出する部分の左端縁に、横ずれ防止部１９が形成されている。横ずれ防止部１９は、屋外方向に向けて突出し、かつ垂直方向に延びる略矩形片である。横ずれ防止部１９は、外壁板２が取り付けられた後に左右方向に変位することを防止するためのものである。なお、取付具１０から横ずれ防止部１９を取り除き、必要に応じて取付具１０とは別個に、板状の横ずれ防止部材を隣接する外壁板２の間に設置することができる。
【００５０】
基板部１６の上側部分には、３つの取付穴１６Ｈが左右方向に並んで貫設されている。図１２に示すように、中央の取付穴１６Ｈは、基板部１６の中央線Ｈ−Ｈ上に穿設されている。図９等に示すように、取付穴１６Ｈに止めネジ１０Ｂが挿通されることにより、基板部１６が縦支持部材５０に固定される。図１１及び図１２に示すように、横ずれ防止部１９は、基板部１６の中央線Ｈ−Ｈよりも右方に位置している。
【００５１】
図１２〜図１４に示すように、第１係止部１１及び第２係止部１２は、基板部１６における各取付穴１６Ｈよりも下方の位置から屋外方向に向けて突出している。
【００５２】
図１１及び図１２に示すように、第１係止部１１及び第２係止部１２は、左右方向に並んでいる。第１係止部１１は、中央線Ｈ−Ｈよりも左方に位置している。第２係止部１２は、中央線Ｈ−Ｈ及び横ずれ防止部１９よりも右方に位置している。
【００５３】
離間部１５は、中央の取付穴１６Ｈの下方に位置して、第１係止部１１と第２係止部１２との間で、基板部１６に向かって凹む空間である。離間部１５は、第１係止部１１と第２係止部１２とを左右方向に離間させている。横ずれ防止部１９は、離間部１５に対して下方に位置している。
【００５４】
図１４に示すように、第１係止部１１は、側面視した場合に基板部１６から屋外方向に向かって水平に延びる部分と、その水平に延びる部分の先端に頂点が接続し、底辺が垂直方向に延びる二等辺三角形状の部分とを有する形状とされている。
【００５５】
第１係止部１１は、第１係止片１１Ａ及び第２係止片１１Ｂを有している。第１係止片１１Ａは、第１係止部１１における水平に延びる部分の下面と、第１係止部１１における二等辺三角形状の部分の下側斜面とによって形成されている。第２係止片１１Ｂは、第１係止部１１における水平に延びる部分の上面と、第１係止部１１における二等辺三角形状の部分の上側斜面とによって形成されている。
【００５６】
図１３に示すように、第２係止部１２の断面形状は、図１４に示す第１係止部１１の断面形状と同一である。
【００５７】
第２係止部１２は、第３係止片１２Ａ及び第４係止片１２Ｂを有している。第３係止片１２Ａは、第２係止部１２における水平に延びる部分の下面と、第２係止部１２における二等辺三角形状の部分の下側斜面とによって形成されている。第４係止片１２Ｂは、第２係止部１２における水平に延びる部分の上面と、第２係止部１２における二等辺三角形状の部分の上側斜面とによって形成されている。
【００５８】
図１１〜図１４に示すように、第１係止部１１及び第２係止部１２はそれぞれ、シール材１８を有している。第１係止部１１に保持されたシール材１８は、第１係止部１１の右端部を屋外から覆いつつ上方に延びた後、第２係止片１１Ｂの右端部に沿って下向きに延び、さらに屋内方向に向けて延びている。第２係止部１２に保持されたシール材１８は、第２係止部１２の左端部を屋外から覆いつつ上方に延びた後、第４係止片１２Ｂの右端部に沿って下向きに延び、さらに屋内方向に向けて延びている。
【００５９】
本実施例では、シール材１８は、発泡ＥＰＤＭ（エチレン−プロピレン−ジエンゴム）製の小片である。なお、シール材１８の材質は上記構成に限定されず、圧縮変形し易い材料が適宜選択される。また、シール材は必須ではなく、本実施例のシール材１８を省略することもできる。
【００６０】
左側の支持面１３Ｌは、基板部１６の左端縁から屈曲して屋外方向に向けて延びた後、左向きに屈曲する屈曲片の屋外方向を向く平坦面である。右側の支持面１３Ｒは、基板部１６の右端縁から屈曲して屋外方向に向けて延びた後、右向きに屈曲する屈曲片の屋外方向を向く平坦面である。
【００６１】
図１、図２及び図８等に示すように、各外壁板２は、四辺形状、より具体的には、左右方向に長い略矩形状の板材である。本実施例では、外壁板２は、セメントを含む窯業系材料からなる。なお、外壁板２の材質は上記には限定されず、例えば、金属系材、木質系材、樹脂系材等を適宜選択できる。
【００６２】
図１及び図６〜図１１に示すように、各外壁板２は、水平方向及び垂直方向に隣接する状態で、断熱材７、防水シート６、ブラケット５７の先端部５７Ａ、横支持部材５３、縦支持部材５０、下端支持部材５５及び取付具１０よりも構造体８の外側に配置されて、それらを覆っている。
【００６３】
各外壁板２は、図２〜図５に示す板状の部材である。外壁板２の表面２Ｆは、例えば図２に示すようなレンガ柄等の外装面となっている。外壁板２における左端部２Ｌには、表側左右接合部２１が形成されている。左端部２Ｌは、「各外装材における水平方向の他端部」の一例である。各外壁板２における右端部２Ｒには、裏側左右接合部２２が形成されている。右端部２Ｒは、「各外装材における水平方向の一端部」の一例である。各外壁板２における下端部２Ｄには、表側上下接合部２３が形成されている。各外壁板２における上端部２Ｕには、裏側上下接合部２４が形成されている。
【００６４】
図３及び図５に示すように、表側左右接合部２１は、外壁板２の裏面２Ｂから表面２Ｆに向かって段状に凹み、垂直方向、即ち、左端部２Ｌに沿って延在している。
【００６５】
裏側左右接合部２２は、外壁板２の表面２Ｆから裏面２Ｂに向かって段状に凹み、垂直方向、即ち、右端部２Ｒに沿って延在している。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、本実施例のコーキング２２Ｓを省略することもできる。
【００６６】
図４及び図５に示すように、表側上下接合部２３は、外壁板２の裏面２Ｂから表面２Ｆに向かって段状に凹み、左右方向、即ち、下端部２Ｄに沿って延在している。表側上下接合部２３には、上向きに略テーパ状に凹む係合凹部２３Ａが形成されている。
【００６７】
裏側上下接合部２４は、外壁板２の表面２Ｆから裏面２Ｂに向かって段状に凹み、左右方向、即ち、上端部２Ｕに沿って延在している。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、本実施例のコーキング２４Ｓを省略することもできる。裏側上下接合部２４には、コーキング２４Ｓよりも上方において上向きに略テーパ状に突出する係合凸部２４Ａが形成されている。
【００６８】
図８〜図１１及び図１５に示すように、表側左右接合部２１と裏側左右接合部２２とが重なり合うことによって、水平方向に隣接する外壁板２同士の間に、左右接合部２６が形成される。図８、図１０及び図１６〜図１８に示すように、表側上下接合部２３と裏側上下接合部２４とが重なり合うことによって、垂直方向に隣接する外壁板２同士の間に、上下接合部２５が形成される。即ち、各外壁板２は、表側左右接合部２１、裏側左右接合部２２、表側上下接合部２３及び裏側上下接合部２４を備える、いわゆる「四方合い決り構造」である板材であり、表側左右接合部２１、裏側左右接合部２２、表側上下接合部２３及び裏側上下接合部２４が重なり合って左右接合部２６及び上下接合部２５が形成される。
【００６９】
ここで、図５、図８〜図１１及び図１５〜図１８に示すように、各外壁板２のうちの任意の１枚の外壁板２を第１外壁板２Ａ１とし、第１外壁板２Ａ１に対して以下の関係にある３枚の外壁板２を第２外壁板２Ａ２、第３外壁板２Ａ３及び第４外壁板２Ａ４とする。第２外壁板２Ａ２は、第１外壁板２Ａ１に対して上方から隣接している。第３外壁板２Ａ３は、第１外壁板２Ａ１に対して右方から隣接している。第４外壁板２Ａ４は、第３外壁板２Ａ３に対して上方から隣接し、かつ、第２外壁板２Ａ２に対して右方から隣接している。
【００７０】
このような構成である各外壁板２は、以下のようにして、各取付具１０及び各支持部材５に支持される。
【００７１】
図１、図６及び図７に示すように、初めに、構造体８の外面８Ｆの最も下方の位置に、複数の外壁板２を左右方向に隣接させた状態で取り付ける。この際、図７に示すように、それらの外壁板２における下端部２Ｄは、表側上下接合部２３の係合凹部２３Ａに下端支持部材５５の下端部が下方から嵌入することによって、各支持部材５に支持される。
【００７２】
次に、図１５に示すように、左右方向に隣接する外壁板２（第１外壁板２Ａ１及び第３外壁板２Ａ３）の左右接合部２６に、取付具１０の横ずれ防止部１９を各外壁板２（第１外壁板２Ａ１及び第３外壁板２Ａ３）の上端部２Ｕ側、かつ裏面２Ｂ側から挿入する。そして、図９及び図１１に示すように、取付具１０を下方に移動させ、止めネジ１０Ｂによって、取付具１０を縦支持部材５０に固定する。
【００７３】
これにより、図１６及び図１７に示すように、第１外壁板２Ａ１における裏側上下接合部２４の係合凸部２４Ａに対して、取付具１０の第１係止部１１における第１係止片１１Ａが上方から係合する。その結果、第１係止片１１Ａは、第１外壁板２Ａ１の上端部２Ｕを係止する。また、第３外壁板２Ａ３における裏側上下接合部２４の係合凸部２４Ａに対して、取付具１０の第２係止部１２における第３係止片１２Ａが上方から係合する。その結果、第３係止片１２Ａは、第３外壁板２Ａ３の上端部２Ｕを係止する。さらに、図１１に示すように、横ずれ防止部１９は、第１外壁板２Ａ１の裏側左右接合部２２と、第３外壁板２Ａ３の表側左右接合部２１との水平方向において対向する端部同士の間に配置される。
【００７４】
次に、図１０、図１６及び図１７に示すように、外面８Ｆの最も下方に取り付けられた各外壁板２（第１外壁板２Ａ１及び第３外壁板２Ａ３）の上方に、複数の外壁板２（第２外壁板２Ａ２及び第４外壁板２Ａ４）を左右方向に隣接させた状態で取り付ける。
【００７５】
これにより、図１６及び図１７に示すように、第２外壁板２Ａ２における表側上下接合部２３の係合凹部２３Ａに対して、取付具１０の第１係止部１１における第２係止片１１Ｂが下方から係合する。その結果、第２係止片１１Ｂは、第２外壁板２Ａ２の下端部２Ｄを係止する。この際、第１係止部１１に保持されたシール材１８は、第２外壁板２Ａ２の下端部２Ｄに当接して圧縮変形する。また、第４外壁板２Ａ４における表側上下接合部２３の係合凹部２３Ａに対して、取付具１０の第２係止部１２における第４係止片１２Ｂが下方から係合する。その結果、第４係止片１２Ｂは、第４外壁板２Ａ４の下端部２Ｄを係止する。この際、第２係止部１２に保持されたシール材１８は、第４外壁板２Ａ４の下端部２Ｄに当接して圧縮変形する。
【００７６】
要するに、取付具１０において、第１係止部１１は、第１係止片１１Ａ及び第２係止片１１Ｂによって、第１外壁板２Ａ１と第２外壁板２Ａ２との間に形成される上下接合部２５を支持する。また、第２係止部１２は、第３係止片１２Ａ及び第４係止片１２Ｂによって、第３外壁板２Ａ３と第４外壁板２Ａ４との間に形成される上下接合部２５を支持する。
【００７７】
この際、図１１、図１６及び図１７に示すように、支持面１３Ｌ、１３Ｒは、第１〜４外壁板２Ａ１〜２Ａ４の裏面２Ｂに当接し、第１〜４外壁板２Ａ１〜２Ａ４が屋内方向に向かって位置ずれしないように規制する。また、支持面１３Ｌ、１３Ｒが基板部１６から屋外側方向の幅によって、縦支持部材５０の表面から第１〜４外壁板２Ａ１〜２Ａ４の裏面２Ｂまでの距離が確保される。
【００７８】
図示は省略するが、第２外壁板２Ａ２及び第４外壁板２Ａ４の上端部２Ｕは、別の取付具１０によって、上述した手順で各支持部材５に支持される。このような作業を他の外壁板２についても実施することにより、各外壁板２は、水平方向及び垂直方向に隣接する状態で、各取付具１０及び各支持部材５に取り付けられ、構造体８の外面８Ｆ全体を覆う。
【００７９】
なお、図８において、左右方向に並ぶ任意の２つの取付具１０の間に、追加的に他の取付具を配置して、垂直方向に隣接する外壁板２同士の上下接合部２５（第１、２外壁板２Ａ１、２Ａ２の上下接合部２５、及び第３、４外壁板２Ａ３、２Ａ４の上下接合部２５）をより強固に支持させてもよい。
【００８０】
図８〜図１１、図１５、図１７及び図１８に示すように、水平方向及び垂直方向に隣接する少なくとも４枚の外壁板２（第１〜４外壁板２Ａ１〜２Ａ４）において、各左右接合部２６は、垂直方向に直線状に連続した接合領域Ｅ１を形成している。接合領域Ｅ１は、表側左右接合部２１と裏側左右接合部２２とが当接することによって形成される極めて狭い隙間である。接合領域Ｅ１は、図１１に示すように、垂直方向から見て、略クランク状に屈曲している。なお、図１８では、接合領域Ｅ１の厚みを誇張して図示している。
【００８１】
図９及び図１１等に示すように、離間部１５は、接合領域Ｅ１を内在させた状態で、第１係止部１１と第２係止部１２とを左右方向に離間させている。これにより、第１係止部１１と、第１係止部１１に保持されたシール材１８とは、接合領域Ｅ１に対して左方に離間して配置されている。また、第２係止部１２と、第２係止部１２に保持されたシール材１８とは、接合領域Ｅ１に対して右方に離間して配置されている。
【００８２】
つまり、取付具１０の第１係止部１１及び第２係止部１２と、第１係止部１１及び第２係止部１２にそれぞれ支持されたシール材１８とは、離間部１５によって、左右方向において接合領域Ｅ１を横切らない。
【００８３】
本実施例では、図７に示すように、断熱材７及び防水シート６と、各外壁板２の裏面２Ｂとの間に、通気のための隙間Ｓ１が確保されている。通気のための隙間Ｓ１は、構造体８の設置状況等によって適宜設定される。例えば、通気のための隙間Ｓ１は、通気性確保の観点からは７ｍｍ以上とすることが好ましい。なお、通気のための隙間は必須ではなく、本実施例の通気のための隙間Ｓ１を省略することもできる。この様に通気のための隙間を小さくするためには、支持面１３Ｌ、１３Ｒを有しない後述する実施例２の取付具２１０を使用することができる。
【００８４】
図１１、図１６及び図１７に示すように、取付具１０の支持面１３Ｌ、１３Ｒが第１〜４外壁板２Ａ１〜２Ａ４の裏面２Ｂに当接し、第１〜４外壁板２Ａ１〜２Ａ４が屋内方向に向かって位置ずれしないように規制することにより、図７に示す通気のための隙間Ｓ１が確実に確保される。この際、図１０等に示すように、略平坦に延在する基板部１６が縦支持部材５０に広い面積で当接して強固に固定されるので、支持面１３Ｌ、１３Ｒも安定して、第１〜４外壁板２Ａ１〜２Ａ４を規制できる。
【００８５】
＜作用効果＞
実施例１の取付具１０では、図９及び図１１等に示すように、離間部１５によって第１係止部１１と第２係止部１２とが左右方向に離間される。このため、第１係止部１１において、第１係止片１１Ａが第１外壁板２Ａ１の上端部２Ｕを係止し、第２係止片１１Ｂが第２外壁板２Ａ２の下端部２Ｄを係止し、かつ、第２係止部１２において、第３係止片１２Ａが第３外壁板２Ａ３の上端部２Ｕを係止し、第４係止片１２Ｂが第４外壁板２Ａ４の下端部２Ｄを係止する状態において、第１係止部１１と第２係止部１２とは、第２外壁板２Ａ２と第４外壁板２Ａ４との隙間と、第１外壁板２Ａ１と第３外壁板２Ａ３との隙間とを横切らない。このため、第２外壁板２Ａ２と第４外壁板２Ａ４との隙間と、第１外壁板２Ａ１と第３外壁板２Ａ３との隙間とが垂直方向において連続する。より詳しくは、第２、４外壁板２Ａ２、２Ａ４の左右接合部２６と、第１、３外壁板２Ａ１、２Ａ３の左右接合部２６とは、図１７及び図１８に示すように、垂直方向に直線状に連続した接合領域Ｅ１を形成している。これにより、この取付具１０では、雨水が左右接合部２６を介して外壁板２の裏面２Ｂ側に侵入する場合に、図１７及び図１８に矢印Ｙ１によって示すように、雨水を接合領域Ｅ１に沿って下方に効果的に排出することができる。また、接合領域Ｅ１から上下接合部２５に雨水が侵入しそうになっても、シール材１８によって、その雨水の侵入が防止される。
【００８６】
したがって、実施例１の取付具１０及び外装構造によれば、垂直方向及び水平方向に隣接する外壁板２同士の隙間に沿って下方に流れる雨水の滞留及び水平方向への移動を防止できる。
【００８７】
また、この外装構造では、図２〜図５等に示すように、各外壁板２は、表側左右接合部２１、裏側左右接合部２２、表側上下接合部２３、裏側上下接合部２４を備える、いわゆる「四方合い決り構造」である板材であり、表側左右接合部２１、裏側左右接合部２２、表側上下接合部２３及び裏側上下接合部２４が重なり合って形成される左右接合部２６及び上下接合部２５により、水平方向及び垂直方向に隣接する外壁板２（第１〜４外壁板２Ａ１〜２Ａ４）同士の隙間が生じ難い。また、雨水が外壁板２の裏面２Ｂ側に侵入することを抑制できる。
【００８８】
さらに、この外装構造では、図８、図１１及び図１７等に示すように、取付具１０によって第１〜４外壁板２Ａ１〜２Ａ４を構造体８に取り付けた後に、取付具１０の横ずれ防止部１９によって、第１外壁板２Ａ１及び第３外壁板２Ａ３の横ずれを防止することができる。また、横ずれ防止部１９は、図１１に示すように、第１外壁板２Ａ１の裏側左右接合部２２と、第３外壁板２Ａ３の表側左右接合部２１との間に配置される。このため、横ずれ防止部１９が第３外壁板２Ａ３の表側左右接合部２１に覆われ、外壁板２の表面２Ｆ側に露出しない。
【００８９】
（実施例２）
実施例２の外装構造では、実施例１に係る取付具１０の代わりに、図１９及び図２０に示す取付具２１０を採用している。実施例２のその他の構成は実施例１と同一である。このため、実施例１と同一の構成については同一の符号を付して説明を省略又は簡略して示す。
【００９０】
取付具２１０は、基板部２１６、横ずれ防止部２１９、第１係止部２１１、第２係止部２１２及び離間部２１５を有している。
【００９１】
図１９に示すように、基板部２１６は、正面視した場合に略矩形状とされている。基板部２１６の上端部は、屈曲して屋内方向に向けて上り傾斜するように延びた後、さらに屈曲して上向きに垂直に延びている。基板部２１６の下端部は、屈曲して屋内方向に向けて略水平に延びた後、さらに屈曲して下向きに垂直に延びている。
【００９２】
基板部２１６の下端部における右側部分は、下向きに突出しており、その突出する部分の左端縁に、横ずれ防止部２１９が形成されている。横ずれ防止部２１９は、屋外方向に向けて突出し、かつ垂直方向に延びる略矩形片である。
【００９３】
基板部２１６の上側部分には、取付凹部２１７が屋内方向に向けて凹設されている。取付凹部２１７は、左右方向に長く延びている。取付凹部２１７の底部に、３つの取付穴２１６Ｈが左右方向に並んで貫設されている。図２０に示すように、取付穴２１６Ｈに止めネジ２１０Ｂが挿通されることにより、基板部２１６が縦支持部材５０に固定される。図１９に示すように、横ずれ防止部２１９は、中央の取付穴２１６Ｈよりも右方に位置している。
【００９４】
なお、取付具２１０は、基板部２１６の左端縁及び右端縁から屈曲する屈曲片を有しておらず、実施例１に係る一対の支持面１３Ｌ、１３Ｒに相当するものも有していない。
【００９５】
第１係止部２１１及び第２係止部２１２は、基板部２１６における各取付穴２１６Ｈよりも下方の位置から屋外方向に向けて突出している。基板部２１６には、第１係止部２１１と第２係止部２１２との間で略矩形状に切り欠かれた切欠部２１６Ｃが形成されている。
【００９６】
第１係止部２１１及び第２係止部２１２は、左右方向に並んで配置されている。第１係止部２１１は、基板部２１６の中央線Ｈ２−Ｈ２よりも左方に位置している。第２係止部２１２は、基板部２１６の中央線Ｈ２−Ｈ２及び横ずれ防止部２１９よりも右方に位置している。
【００９７】
離間部２１５は、中央の取付穴２１６Ｈの下方に位置して、第１係止部２１１と第２係止部２１２との間で、基板部２１６に向かって凹む空間である。離間部２１５は、切欠部２１６Ｃに連続している。離間部２１５は、第１係止部２１１と第２係止部２１２とを左右方向に離間させている。横ずれ防止部２１９は、離間部２１５に対して下方に位置している。
【００９８】
第１係止部２１１及び第２係止部２１２の構成は、実施例１に係る第１係止部１１及び第２係止部１２の構成と略同一である。
【００９９】
第１係止部２１１は、第１係止片２１１Ａ及び第２係止片２１１Ｂを有している。第１係止片２１１Ａ及び第２係止片２１１Ｂの構成も、実施例１に係る第１係止片１１Ａ及び第２係止片１１Ｂの構成と略同一である。
【０１００】
第２係止部２１２は、第３係止片２１２Ａ及び第４係止片２１２Ｂを有している。第３係止片２１２Ａ及び第４係止片２１２Ｂの構成も、実施例１に係る第３係止片１２Ａ及び第４係止片１２Ｂの構成と略同一である。
【０１０１】
第１係止部２１１及び第２係止部２１２はそれぞれ、実施例１に係る第１係止部１１及び第２係止部１２と同様に、シール材１８を有している。
【０１０２】
図２０に示すように、取付具２１０において、第１係止部２１１は、第１係止片２１１Ａ及び第２係止片２１１Ｂによって、第１外壁板２Ａ１と第２外壁板２Ａ２との間に形成される上下接合部２５を支持する。また、第２係止部２１２は、第３係止片２１２Ａ及び第４係止片２１２Ｂによって、第３外壁板２Ａ３と第４外壁板２Ａ４との間に形成される上下接合部２５を支持する。この際、第１係止部２１１及び第２係止部２１２にそれぞれ保持されたシール材１８は、第２、４外壁板２Ａ２、２Ａ４の下端部２Ｄに当接して圧縮変形する。また、横ずれ防止部２１９は、第１外壁板２Ａ１の裏側左右接合部２２と、第３外壁板２Ａ３の表側左右接合部２１との水平方向において対向する端部同士の間に配置される。
【０１０３】
離間部２１５は、接合領域Ｅ１を内在させた状態で、第１係止部２１１と第２係止部２１２とを左右方向に離間させている。これにより、第１係止部２１１と、第１係止部２１１に保持されたシール材１８とは、接合領域Ｅ１に対して左方に、換言すると、図２０の紙面奥側に、離間して配置されている。また、第２係止部２１２と、第２係止部２１２に保持されたシール材１８とは、接合領域Ｅ１に対して右方に、換言すると、図２０の紙面手前側に、離間して配置されている。
【０１０４】
つまり、取付具２１０の第１係止部２１１及び第２係止部２１２と、第１係止部２１１及び第２係止部２１２にそれぞれ支持されたシール材１８とは、離間部２１５によって、左右方向において接合領域Ｅ１を横切らない。
【０１０５】
このような構成である実施例２の取付具２１０及び外装構造も、実施例１の取付具１０及び外装構造と同様に、垂直方向及び水平方向に隣接する外壁板２同士の隙間、すなわち接合領域Ｅ１に沿って下方に流れる雨水の滞留及び水平方向への移動を防止できる。
【０１０６】
また、図２０に示すように、取付具２１０の屈曲する基板部２１６と、基板部２１６が固定される縦支持部材５０の間に、通気のための隙間Ｓ２が確保される。この隙間Ｓ２は比較的小さく設定できるため、実施例２の取付具２１０は、通気のための隙間が小さくて良い場合や、縦支持部材５０の厚みによって、通気のための隙間が十分に確保できる場合に有効である。
【０１０７】
（実施例３）
実施例３の外装構造では、実施例１に係る取付具１０の代わりに、図２１に示す取付具３１０を採用しているとともに、シール材１８が省略されている。実施例３のその他の構成は実施例１と同様である。このため、実施例１と同一の構成については同一の符号を付して説明を省略又は簡略して示す。
【０１０８】
取付具３１０は、基板部３１６、横ずれ防止部３１９、第１係止部３１１、第２係止部３１２、離間部３１５及び一対の支持面３１３Ｌ、３１３Ｒを有している。
【０１０９】
基板部３１６は、正面視した場合に略矩形状とされている。基板部１６は、略平坦に延在している。基板部３１６の下端部には、略Ｃ字形状のスリットの内側部分が屈曲されてなる横ずれ防止部３１９が形成されている。横ずれ防止部３１９は、屋外方向に向けて突出し、かつ垂直方向に延びる略矩形片である。
【０１１０】
基板部３１６の上側部分には、３つの取付穴３１６Ｈが左右方向に並んで貫設されている。取付穴３１６Ｈに図示しない止めネジが挿通されることにより、基板部３１６が縦支持部材５０に固定される。横ずれ防止部３１９は、中央の取付穴３１６Ｈよりも右方に位置している。
【０１１１】
基板部３１６における各取付穴３１６Ｈよりも下方には、平板部３１０Ｆが設けれている。平板部３１０Ｆは、屋外方向に向けて突出し、かつ左右方向に平板状に延在している。
【０１１２】
平板部３１０Ｆの先端縁における中央には、離間部３１５が形成されている。離間部３１５は、平板部３１０Ｆの先端縁から屋内方向に向かって略矩形状に切り欠かれてなる。離間部３１５は、中央の取付穴３１６Ｈの下方に位置している。
【０１１３】
第１係止部３１１は、平板部３１０Ｆにおける離間部３１５よりも左方に位置する部分である。第１係止部３１１は、基板部３１６の中央線Ｈ３−Ｈ３よりも左方に位置している。第２係止部３１２は、平板部３１０Ｆにおける離間部３１５よりも右方に位置する部分である。第２係止部３１２は、基板部３１６の中央線Ｈ３−Ｈ３及び横ずれ防止部３１９よりも右方に位置している。
【０１１４】
第１係止部３１１は、第１係止片３１１Ａ及び第２係止片３１１Ｂを有している。第１係止片３１１Ａは、第１係止部３１１の先端部の右側部分に形成され、下向きに屈曲する略矩形状の小片である。第２係止片３１１Ｂは、第１係止部３１１の先端部の左側部分に形成され、上向きに屈曲する略矩形状の小片である。
【０１１５】
第２係止部３１２は、第３係止片３１２Ａ及び第４係止片３１２Ｂを有している。第１係止片３１１Ａは、第１係止部３１１の先端部の左側部分に形成され、下向きに屈曲する略矩形状の小片である。第２係止片３１１Ｂは、第１係止部３１１の先端部の右側部分に形成され、上向きに屈曲する略矩形状の小片である。
【０１１６】
左側の支持面３１３Ｌは、基板部３１６の左端縁から屈曲して屋外方向に向けて延びる屈曲片３１０Ｇの先端縁から左向きと右向きとに屈曲する２つの小片の屋外方向を向く平坦面である。右側の支持面３１３Ｒは、基板部３１６の右端縁から屈曲して屋外方向に向けて延びる屈曲片３１０Ｈの先端縁から左向きと右向きとに屈曲する２つの小片の屋外方向を向く平坦面である。屈曲片３１０Ｇ、３１０Ｈは、基板部３１６の上端から下端まで延在している。
【０１１７】
図示は省略するが、取付具３１０において、第１係止部３１１は、第１係止片３１１Ａ及び第２係止片３１１Ｂによって、第１外壁板２Ａ１と第２外壁板２Ａ２との間に形成される上下接合部２５を支持する。また、第２係止部３１２は、第３係止片３１２Ａ及び第４係止片３１２Ｂによって、第３外壁板２Ａ３と第４外壁板２Ａ４との間に形成される上下接合部２５を支持する。この際、横ずれ防止部３１９は、第１外壁板２Ａ１の裏側左右接合部２２と、第３外壁板２Ａ３の表側左右接合部２１との水平方向において対向する端部同士の間に配置される。
【０１１８】
また、図示は省略するが、離間部３１５は、接合領域Ｅ１を内在させた状態で、第１係止部３１１と第２係止部３１２とを左右方向に離間させている。これにより、第１係止部３１１は、接合領域Ｅ１に対して左方に離間して配置されている。また、第２係止部３１２は、接合領域Ｅ１に対して右方に離間して配置されている。つまり、取付具３１０の第１係止部３１１及び第２係止部３１２は、離間部３１５によって、左右方向において接合領域Ｅ１を横切らない。
【０１１９】
このような構成である実施例３の取付具３１０及び外装構造も、実施例１、２の取付具１０、２１０及び外装構造と同様に、垂直方向及び水平方向に隣接する外壁板２同士の隙間、すなわち接合領域Ｅ１に沿って下方に流れる雨水の滞留及び水平方向への移動を防止できる。
【０１２０】
また、図示は省略するが、取付具３１０の支持面３１３Ｌ、３１３Ｒが第１〜４外壁板２Ａ１〜２Ａ４の裏面２Ｂに当接し、第１〜４外壁板２Ａ１〜２Ａ４が屋内方向に向かって位置ずれしないように規制することにより、通気のための隙間が確実に確保される。この際、略平坦に延在する基板部３１６が縦支持部材５０に広い面積で当接して強固に固定されるので、支持面３１３Ｌ、３１３Ｒも安定して、第１〜４外壁板２Ａ１〜２Ａ４を規制できる。
【０１２１】
さらに、取付具３１０において、第１係止部３１１の第１係止片３１１Ａ及び第２係止片３１１Ｂと、第２係止部３１２の第３係止片３１２Ａ及び第４係止片３１２Ｂとが簡素な形状とされて容易に形成可能であるので、部品コストの低廉化を実現できる。
【０１２２】
また、取付具３１０において、基板部３１６の上端から下端まで延在する屈曲片３１０Ｇ、３１０Ｈは、横ずれ防止部３１９を左右方向から保護する。これにより、横ずれ防止部３１９が流通過程や施工過程において変形する不具合を防止できる。
【０１２３】
（実施例４）
実施例４の外装構造では、図２２〜図２５に示すように、実施例１に係る取付具１０に対して、防水部４１４が追加的に形成されている。実施例４のその他の構成は実施例１と同様である。このため、実施例１と同一の構成については同一の符号を付して、説明を省略又は簡略して示す。
【０１２４】
図２２に示すように、防水部４１４は、取付具１０の離間部１５に設けられている。図２２に示すように、防水部４１４は、基板部１６における第１係止部１１及び第２係止部１２よりも下方の位置から屈曲して屋外方向に向かって上り傾斜した後、上向きに屈曲して垂直に延びている。防水部４１４の上端部４１４Ｂは、屋内方向に向かって上り傾斜するように屈曲している。
【０１２５】
防水部４１４は、防水面４１４Ａを有している。防水面４１４Ａは、防水部４１４の垂直に延びる部分の屋外方向を向く平坦面である。
【０１２６】
図２３〜図２５に示すように、第１係止部１１において、第１係止片１１Ａが第１外壁板２Ａ１の上端部２Ｕを係止し、第２係止片１１Ｂが第２外壁板２Ａ２の下端部２Ｄを係止する。また、第２係止部１２において、第３係止片１２Ａが第３外壁板２Ａ３の上端部２Ｕを係止し、第４係止片１２Ｂが第４外壁板２Ａ４の下端部２Ｄを係止する。この状態において、防水面４１４Ａは、第１〜４外壁板２Ａ１〜２Ａ４の端部同士の接合部が略十字状に交差する交差部Ｃ１に対して、外壁板２の裏面２Ｂ側から接触する。
【０１２７】
このような構成である実施例４の防水面４１４Ａを有する取付具１０及び外装構造でも、実施例１〜３の取付具１０、２１０、３１０及び外装構造と同様に、垂直方向及び水平方向に隣接する外壁板２同士の隙間、すなわち接合領域Ｅ１に沿って下方に流れる雨水の滞留及び水平方向への移動を防止できる。
【０１２８】
この外装構造では、図２５等に示すように、外壁板２の裏面２Ｂに接触する防水面４１４Ａによって、第１〜４外壁板２Ａ１〜２Ａ４の交差部Ｃ１が封止されて、雨水が交差部Ｃ１から外壁板２の裏面２Ｂ側に侵入することが防止される。雨水が浸入したとしても、防水面４１４Ａに付着した雨水は、毛管現象等によって、外壁板２の裏面２Ｂと防水面４１４Ａとの狭い隙間を通過し、第１係止部１１と第２係止部１２とに阻害されることなく、下方に流れる。この時、上方から流れてくる雨水は、防水部４１４の上端部４１４Ｂの傾斜面で受け止められ、防水面４１４Ａと外壁板２の裏面２Ｂとの間を通って下方に排出される。その結果、この外装構造では、雨水の滞留及び水平方向への移動を一層防止できる。
【０１２９】
（実施例５）
実施例５の外装構造では、図２６及び図２７に示すように、実施例２に係る取付具２１０に対して、防水部５１４が追加的に形成されているとともに、シール材１８が省略されている。実施例５のその他の構成は実施例１、２と同様である。このため、実施例１、２と同一の構成については同一の符号を付して、説明を省略又は簡略して示す。
【０１３０】
図２６に示すように、防水部５１４は、取付具２１０の離間部２１５に設けられている。防水部５１４は、基板部２１６における第１係止部２１１と第２係止部２１２との間で、切欠部２１６Ｃに進入するように下向きに突出する略矩形片である。
【０１３１】
防水部５１４は、防水面５１４Ａを有している。防水面５１４Ａは、防水部５１４の屋外方向を向く平坦面である。
【０１３２】
図２７に示すように、第１係止部２１１において、第１係止片２１１Ａが第１外壁板２Ａ１の上端部２Ｕを係止し、第２係止片２１１Ｂが第２外壁板２Ａ２の下端部２Ｄを係止する。また、第２係止部２１２において、第３係止片２１２Ａが第３外壁板２Ａ３の上端部２Ｕを係止し、第４係止片２１２Ｂが第４外壁板２Ａ４の下端部２Ｄを係止する。この状態において、防水面５１４Ａは、第１〜４外壁板２Ａ１〜２Ａ４の端部同士の接合部が略十字状に交差する交差部Ｃ１に対して、外壁板２の裏面２Ｂ側から接触する。
【０１３３】
このような構成である実施例５の防水面５１４Ａを有する取付具２１０及び外装構造でも、実施例１〜４の取付具１０、２１０、３１０及び外装構造と同様に、垂直方向及び水平方向に隣接する外壁板２同士の隙間、すなわち接合領域Ｅ１に沿って下方に流れる雨水の滞留及び水平方向への移動を防止できる。
【０１３４】
即ち、この外装構造では、図２７に示すように、外壁板２の裏面２Ｂに接触する防水面５１４Ａによって、第１〜４外壁板２Ａ１〜２Ａ４の交差部Ｃ１が封止されて、雨水が交差部Ｃ１から外壁板２の裏面２Ｂ側に侵入することが防止される。雨水が浸入したとしても、防水面５１４Ａに付着した雨水は、毛管現象等によって、外壁板２の裏面２Ｂと防水面５１４Ａとの狭い隙間を通過し、第１係止部２１１と第２係止部２１２とに阻害されることなく、下方に流れる。その結果、この外装構造では、雨水の滞留及び水平方向への移動を一層防止できる。
【０１３５】
（実施例６）
実施例６の外装構造では、図２８に示すように、実施例３に係る取付具３１０に対して、防水部６１４が追加的に形成されている。実施例６のその他の構成は実施例１、３と同様である。このため、実施例１、３と同一の構成については同一の符号を付して、説明を省略又は簡略して示す。
【０１３６】
防水部６１４は、取付具２１０の離間部２１５に設けられている。防水部６１４は、基板部２１６における第１係止部３１１と第２係止部３１２との間で、上向きに屈曲する略矩形片である。
【０１３７】
防水部６１４は、防水面６１４Ａを有している。防水面６１４Ａは、防水部６１４の屋外方向を向く平坦面である。
【０１３８】
図示は省略するが、第１係止部３１１において、第１係止片３１１Ａが第１外壁板２Ａ１の上端部２Ｕを係止し、第２係止片３１１Ｂが第２外壁板２Ａ２の下端部２Ｄを係止する。また、第２係止部３１２において、第３係止片３１２Ａが第３外壁板２Ａ３の上端部２Ｕを係止し、第４係止片３１２Ｂが第４外壁板２Ａ４の下端部２Ｄを係止する。この状態において、防水面６１４Ａは、第１〜４外壁板２Ａ１〜２Ａ４の端部同士の接合部が略十字状に交差する交差部Ｃ１に対して、外壁板２の裏面２Ｂ側から接触する。
【０１３９】
このような構成である実施例６の防水面６１４Ａを有する取付具３１０及び外装構造でも、実施例１〜５の取付具１０、２１０、３１０及び外装構造と同様に、垂直方向及び水平方向に隣接する外壁板２同士の隙間、すなわち接合領域Ｅ１に沿って下方に流れる雨水の滞留及び水平方向への移動を防止できる。
【０１４０】
また、この外装構造では、図示は省略するが、外壁板２の裏面２Ｂに接触する防水面６１４Ａによって、第１〜４外壁板２Ａ１〜２Ａ４の交差部Ｃ１が封止されて、雨水が交差部Ｃ１から外壁板２の裏面２Ｂ側に侵入することが防止される。雨水が浸入したとしても、防水面６１４Ａに付着した雨水は、毛管現象等によって、外壁板２の裏面２Ｂと防水面６１４Ａとの狭い隙間を通過し、第１係止部３１１と第２係止部３１２とに阻害されることなく、下方に流れる。その結果、この外装構造では、雨水の滞留及び水平方向への移動を一層防止できる。
【０１４１】
以上において、本発明を実施例１〜６に即して説明したが、本発明は上記実施例１〜６に制限されるものではなく、その趣旨を逸脱しない範囲で適宜変更して適用できることはいうまでもない。
【０１４２】
例えば、本発明は、「合い決くり構成」を含まない外装材、すなわち、外装材の四辺を構成する上下左右の各端部に、外装材の表面及び裏面と直交する平坦な端面が形成されている外装材にも適用できる。
【符号の説明】
【０１４３】
８…構造体
２…外装材（外壁板）
２Ａ１…第１外装材（第１外壁板）
２Ａ２…第２外装材（第２外壁板）
２Ａ３…第３外装材（第３外壁板）
２Ａ４…第４外装材（第４外壁板）
２Ｕ…外装材の上端部（第１〜４外壁板の上端部）
２Ｄ…外装材の下端部（第１〜４外壁板の下端部）
１０、２１０、３１０…取付具
１６、２１６、３１６…基板部
１１、２１１、３１１…第１係止部
１１Ａ、２１１Ａ、３１１Ａ…第１係止片
１１Ｂ、２１１Ｂ、３１１Ｂ…第２係止片
１２、２１２、３１２…第２係止部
１２Ａ、２１２Ａ、３１２Ａ…第３係止片
１２Ｂ、２１２Ｂ、３１２Ｂ…第４係止片
１５、２１５、３１５…離間部
Ｃ１…第１〜４外装材（第１〜４外壁板）の端部同士の接合部が略十字状に交差する交差部
２Ｆ…外装材の表面（外壁板の表面）
２Ｂ…外装材の裏面（外壁板の裏面）
４１４、５１４、６１４…防水部
４１４Ａ、５１４Ａ、６１４Ａ…防水面
２３…表側上下接合部
２４…裏側上下接合部
２５…上下接合部
１９、２１９、３１９…横ずれ防止部
２Ｌ…外装材における水平方向の他端部（外壁板の左端部）
２Ｒ…外装材における水平方向の一端部（外壁板の右端部）
２１…表側左右接合部
２２…裏側左右接合部
２６…左右接合部
【図１】
2017071900.tif 000003
【図２】
2017071900.tif 000004
【図３】
2017071900.tif 000005
【図４】
2017071900.tif 000006
【図５】
2017071900.tif 000007
【図６】
2017071900.tif 000008
【図７】
2017071900.tif 000009
【図８】
2017071900.tif 000010
【図９】
2017071900.tif 000011
【図１０】
2017071900.tif 000012
【図１１】
2017071900.tif 000013
【図１２】
2017071900.tif 000014
【図１３】
2017071900.tif 000015
【図１４】
2017071900.tif 000016
【図１５】
2017071900.tif 000017
【図１６】
2017071900.tif 000018
【図１７】
2017071900.tif 000019
【図１８】
2017071900.tif 000020
【図１９】
2017071900.tif 000021
【図２０】
2017071900.tif 000022
【図２１】
2017071900.tif 000023
【図２２】
2017071900.tif 000024
【図２３】
2017071900.tif 000025
【図２４】
2017071900.tif 000026
【図２５】
2017071900.tif 000027
【図２６】
2017071900.tif 000028
【図２７】
2017071900.tif 000029
【図２８】
2017071900.tif 000030